(57)【特許請求の範囲】
【請求項１】
パトローネの支持部と、パトローネのスプールを巻き取り方向に回転させる回転軸を備えた回転駆動部と、フィルムとの重合面に摩擦手段を設けた引出し板と、この引出し板を往復動させてパトローネのフィルム出入口から該パトローネ内に挿入乃至退出させるための往復駆動部とを備え、往復駆動部を介して引出し板をパトローネのフィルム出入口から該パトローネ内に挿入すると共に、回転駆動部によりパトローネのスプールを巻き取り方向に回転させて、該引出し板をパトローネ内のフィルムに重合した後、往復駆動部によるパトローネからの引出し板の引き抜きにより、該引出し板を介してフィルムの一端側をパトローネのフィルム出入口から引き出すようにしたフィルムの端末引出し装置であって、
前記支持部へのパトローネの支持に伴い前記パトローネのフィルム出入口内に挿入して、前記引出し板によるフィルムの引出し時に該フィルムのフィルム出入口からの引出しをガイドするためのガイド片を備えたガイド板をケーシングに固定するとともに、このガイド板のガイド片が引出し板における摩擦手段に接触しないように成し、
また回転軸の先端部に、スプールに係合可能な係合手段を設けると共に、回転軸を支持部に対して進退方向に移動可能として、該回転軸を支持部に対して進出方向に弾性的に付勢させる一方、パトローネの端部を保持するための保持レバーを設けて、この保持レバーによりパトローネを保持した時点で回転駆動部及び往復駆動部を駆動可能にさせることを特徴とするフィルムの端末引出し装置。
【請求項２】
支持部に、パトローネを吸着により保持するための磁石を設けている請求項１に記載のフィルムの端末引出し装置。
【請求項３】
支持部に、パトローネの軸端部が嵌合可能な凹部を設けている請求項２又は３に記載のフィルムの端末引出し装置。
【発明の詳細な説明】
【０００１】
【発明の属する技術分野】
本発明は、パトローネ内に巻き込まれたフィルムの端末を引き出すのに用いるフィルムの端末引出し装置に関する。
【０００２】
【従来の技術】
パトローネ内に巻き込まれたフィルムの一端部を該パトローネのフィルム出入口の外に引き出すのに用いる端末引出し装置としては、例えば特開昭５５−３５３５３号公報に開示されている。この端末引出し装置は、前記公報からも明らかなように、可撓性を有して帯状に形成された一対の第１、第２引出し板と、音検出手段とを備えて成り、前記両引出し板の先端部をパトローネのフィルム出入口に挿入した上で、先ず第１引出し板をパトローネ内に差し込むと共に、パトローネのスプールをフィルム巻き取り方向に回転させ、フィルム先端が第２引出し板の先端を通過する際に発生する音を検出手段により検出して、スプールの回転を停止させ、該スプールをフィルム巻き戻し方向に逆転させた上で、第２引出し板をパトローネ内に差し込んで、両引出し板でフィルムの先端側を挟持し、続いて両引出し板をパトローネから引き抜いてフィルムの先端部をフィルム出入口から引き出すようにしている。
【０００３】
しかしながら以上の端末引き出し装置に用いられている引出し板にあっては、両引出し板の両側面で挟持する際に、確実に挟持することが難しく、両引出し板をパトローネから引き抜く際、両引出し板の両側面で挟持しているフィルムが両引出し板に対して滑るなどして、フィルムを確実に引き出すことが出来ない場合がある。
【０００４】
そこで本願出願人は、以上の不具合を解消すべく、パトローネの支持部と、パトローネのスプールを巻き取り方向に回転させる回転軸を備えた回転駆動部と、フィルムとの重合面に摩擦係数の大きなテープを貼り付けて成る引出し板と、この引出し板を往復動させて、パトローネのフィルム出入口から該パトローネ内に挿入乃至退出させるための往復駆動部とを備え、往復駆動部を介して引出し板をフィルム出入口から該パトローネ内に挿入すると共に、回転駆動部によりスプールを巻き取り方向に回転させて、該引出し板をパトローネ内のフィルムに重合した後、往復駆動部を介して引出し板をパトローネから引き抜いて、該引出し板の摩擦抵抗によりフィルムの一端側をフィルム出入口から引き出すようにしたフィルムの端末引出し装置を先に出願（特願平９−２７１６６０号）した。
【０００５】
【発明が解決しようとする課題】
しかしながら本願出願人が先に出願したフィルムの端末引出し装置では、パトローネを支持部上に立設させる際に、回転軸の先端に形成した凹溝から成る係合部にパトローネのスプールの軸端部を嵌合させて、該回転軸にスプールを連動させる必要があるが、スプールを回転軸の先端にセットしただけでは、前記係合部にスプールの軸端部が係合するとは限らないのであって、スプールを回転軸の先端にセットした際、スプールの軸端部が前記係合部に係合しない時には、該係合部に係合する位置まで該スプールを手で回転させて、係合部にスプールの軸端部を係合させ、しかる後、パトローネのフイルム出入口に引出し板の先端を挿入しなければならず、全体としてパトローネの支持部へのセットに手間を要する不具合がある。
【０００６】
本発明は以上の実情に鑑みて開発したものであって、目的とするところは、回転軸に対するスプールの連動が簡単に行え、しかもパートローネを安定的に支持しながら、このパトローネ内からのフィルムの引出しが確実に行えるフィルムの端末引出し装置を提供するにある。
【０００７】
【課題を解決するための手段】
以上の目的を達成するために請求項１記載の発明は、パトローネの支持部と、パトローネのスプールを巻き取り方向に回転させる回転軸を備えた回転駆動部と、フィルムとの重合面に摩擦手段を設けた引出し板と、この引出し板を往復動させてパトローネのフィルム出入口から該パトローネ内に挿入乃至退出させるための往復駆動部とを備え、往復駆動部を介して引出し板をパトローネのフィルム出入口から該パトローネ内に挿入すると共に、回転駆動部によりパトローネのスプールを巻き取り方向に回転させて、該引出し板をパトローネ内のフィルムに重合した後、往復駆動部によるパトローネからの引出し板の引き抜きにより、該引出し板を介してフィルムの一端側をパトローネのフィルム出入口から引き出すように成し、且つ前記支持部へのパトローネの支持に伴い前記パトローネのフィルム出入口内に挿入して、前記引出し板によるフィルムの引出し時に該フィルムのフィルム出入口からの引出しをガイドするためのガイド片を備えたガイド板をケーシングに固定するとともに、このガイド板のガイド片が引出し板における摩擦手段に接触しないように成し、また回転軸の先端部に、スプールに係合可能な係合手段を設けると共に、回転軸を支持部に対して進退方向に移動可能として、該回転軸を支持部に対して進出方向に弾性的に付勢させる一方、パトローネの端部を保持するための保持レバーを設けて、この保持レバーによりパトローネを保持した時点で回転駆動部及び往復駆動部を駆動可能にさせるようにしたのである。
【０００８】
また請求項２記載の発明は、請求項１記載の端末引出し装置において、支持部に、パトローネを吸着により保持するための磁石を設けたのである。
また請求項３の発明は、請求項２又は３記載のフィルムの端末引出し装置において、支持部には、パトローネの軸端部が嵌合可能な凹部を設けたのである。
【０００９】
【発明の実施の形態】
図において１は、本発明にかかる端末引出し装置の構成部材である引出し板を示している。この引出し板１は、基本的にはパトローネ２のフィルム出入口２１から該パトローネ２内に挿入して、パトローネ２内のスプール２２に巻き込まれたフィルム２０の一端側を前記フィルム出入口２１から引き出すのに用いるのであって、この引出し板１における前記フィルム２０との重合面の幅方向両側部位には、摩擦係数の大きな摩擦手段１０を設け、該フィルム２０を摩擦手段１０の摩擦抵抗によりフィルム出入口２１から引出し可能としている。
【００１０】
図に示す実施形態では、この引出し板１を、薄肉で可撓性を備えた帯状の金属板から形成しているのであって、図１及び図２に示すように、この引出し板１の長さ方向一端部、換言すれば前記フィルム出入口２１への挿入側端部を略半円形に形成して、その先端部を、図２に示すごとく僅かに反らせると共に、他端部には、円形の係合孔１１を設けている。
【００１１】
尚、以上の引出し板１の加工は、その周縁にバリ等が発生しないように放電加工により行っている。尚、引出し板１の加工はエッチング等により行ってもよい。そして以上の引出し板１の前記フィルム２０と重合する側面の幅方向両側部に沿って、表面の摩擦係数が大きなシリコーンゴム製のテープ１２を貼り付けることで、該テープ１２を前記摩擦手段１０としている。
【００１２】
前記テープ１２の摩擦係数は０．９以上、好ましくは１．２以上のものを用い、またシリコーンゴム製のテープ１２には限られず、ポリ塩化ビニール製のものやウレタン製のものでもよい。尚、図中２３は、パトローネ２のフィルム出入口２１内に取り付けた布製の遮光材を示す。
【００１３】
次に以上の引出し板１を用いた端末引出し装置を説明する。この端末引出し装置は、基本的には、パトローネ２の支持部３と、パトローネ２のスプール２２を巻き取り方向に回転させる回転駆動部４と、前述の構造から成る引出し板１と、この引出し板１を往復動させて、パトローネ２のフィルム出入口２１から該パトローネ２内に挿入乃至退出させるための往復駆動部５と、前記回転駆動部４及び往復駆動部５を作動させるためのモータ６と、前記引出し板１のパトローネ２におけるフィルム出入口２１内への挿入をガイドすると共に前記引出し板１によるフィルム２０の引出し時に該フィルム２０のフィルム出入口２１からの引出しをガイドするためのガイド板７とを備え、前記支持部３を、ほぼ立方体に形成したケーシング８に設けると共に、その他の構成部材４〜７をケーシング８に組み込んでいる。
【００１４】
具体的には、前記ケーシング８のコーナ部位を一部窪ませて、該窪み内をパトローネ２の支持部３とすると共に、この支持部３の底壁３１にパトローネ２の一端部が嵌合可能な凹部３２を設けて、該凹部３２上にパトローネ２を立設するようにしている。また前記凹部３２の底部には、図６に概略的に示すように、磁石３３を組付けて、パトローネ２の凹部３２への嵌め込み時、該パトローネ２を磁石３３に吸着させて安定良く立設させるようにしている。
【００１５】
また前記凹部３２の底部には、図６に概略的に示すように、凹部３２へのパトローネ２の嵌め込みに伴いオン動作するリミットスイッチ３４を組付けて、パトローネ２の凹部３２内への嵌め込みにより、リミットスイッチ３４がオン動作した時にのみ前記モータ６の駆動が行えるようにしている。回転駆動部４は、図８に示すように、ワンウェイクラッチ付きの回転軸４１から構成して、該回転軸４１を前記ケーシング８内の底部に組み込んで、その長さ方向中間部にドリブンギヤ４２を組み付けると共に、該回転軸４１の上端部を、支持部３の凹部３２内に突出させている。そして該回転軸４１の上端部に凹溝からなる係合部４３を設けて、前記凹部３２上に立設するパトローネ２のスプール２２の軸端部を前記係合部３２に係合させ、該回転軸４１を介して、該スプール２２を巻き取り方向にのみ回転させるようにしている。
【００１６】
図に示す実施形態では、回転軸４１を軸方向に所定ストローク移動可能とすると共に、該回転軸４１をコイルスプリング４４により上方、換言すればパトローネ２に向けて弾性的に付勢させている。往復駆動部５は、図７に示すように、外周に前記引出し板１の長さ方向他端側を巻装するドラム５１と、このドラム５１を支持する支持軸５２とから構成して、これらドラム５１並びに支持軸５２を前記ケーシング８内に組み込んで、支持軸５２の下端部にドリブンギヤ５３を組み付けると共に、前記ケーシング８の内壁には、前記引出し板１を案内する案内溝８１を形成して、該案内溝８１を前記支持部３の側壁外方に開口させ、前記ドラム５１の正転乃至逆転により、該ドラム５１の外周に巻装している引出し板１を前記案内溝８１に沿って往復動させるようにしている。
【００１７】
前記ドラム５１には、図１６に示すように、その外周面に対して出退可能な係止ピン５４を設けて、コイルスプリング５５により、この係止ピン５４を前記外周面に対して突出する方向に弾性的に付勢させている。また図１６に示すように、係止ピン５４の突出端部を半球状として、その突出端に、ボールペン等の先端が係合可能な係合穴５６を設け、該係合穴５６にボールペン等の先端を嵌め込んで、該ボールペンの押し込み操作により、前記係止ピン５４を前記コイルスプリング５５のばね反力に抗してドラム５１内に退入出来るようにして、係止ピン５４の突出端部に引出し板１の係合孔１１を係合させることで、該引出し板１の長さ方向一端部を係止ピン５４を介してドラム５１に係止するようにしている。
【００１８】
尚、図６において８８は、引出し板１の前記ドラム５１への取付け時乃至ドラム５１からの取り外し行うための作業孔であって、該作業孔８８を介してボールペン等で前記係止ピン５４を押圧操作するようにしている。斯くして、引出し板１の取付け乃至取り外しが、前記係止ピン５４の押圧操作だけで簡単に行える。
【００１９】
一方、前記モータ６はケーシング８内に組み込まれ、図５に示すように、該モータ６の駆動軸６１には、歯数の異なる大小一対のドライブギヤ６２ａ・６２ｂを組み付ける一方、ケーシング８内の底部には、大径のドライブギヤ６２ａに噛合するアイドラギヤ８２ａと、小径のドライブギヤ６２ｂに噛合するアイドラギヤ８２ｂとを回転自由に支持して、前記アイドラギヤ８２ａを回転軸４１側のドリブンギヤ４２に、また前記アイドラギヤ８２ｂをドラム５１側のドリブンギヤ５３にそれぞれ噛合させている。
【００２０】
そしてモータ６の正転方向への回転駆動により、前記アイドラギヤ８２ｂ並びにドリブンギヤ５３を介してドラム５１を回転させて、引出し板１をケーシング８の外方に突出する方向に往動させると同時に、前記アイドラギヤ８２ａ並びにドリブンギヤ４２を介して回転軸４１を回転駆動して、パトローネ２のスプール２２を巻き取り方向に回転させるようにし、またモータ６の逆転方向への回転駆動により、前記アイドラギヤ８２ｂ並びにドリブンギヤ５３を介してドラム５１を前記とは逆方向に回転させて、引出し板１をケーシング８内に引き込む方向に復動させるようにしている。
【００２１】
尚、実施形態では、前記支持部３でのスプール２２の回転数を高めて、枚数の少ない例えば１２枚撮りのフィルム２０でも該フィルム２０の先端部が短時間に回転移動出来るようにするために、引出し板がパトローネ２内に挿入し終えるまでに回転軸４１を２．５回、回転させるようにしている。また図に示す実施形態では、ケーシング８に、前記案内溝８１の開口部位に開口して、パトローネ２から引き出されたフィルム２０の端部を収容する収容空間８３を形成する一方、前記ケーシング８の上壁８０上には、前記支持部３に立設したパトローネ２の上端部を保持するための保持レバー９を揺動自由に支持している。
【００２２】
この保持レバー９には、図９に示すように、後記するセンサー６３をオン動作させるための突片９１を一体形成し、該保持レバー９により前記パトローネ２の上端部を保持した時点で、前記突片９１によりセンサー６３をオン動作させて、モータ６を駆動させるようにしている。また図に示す実施形態では、図９に示すように、前記モータ６を駆動させるための発光ダイオード及びフォトダイオードから構成されたセンサー６３を、ケーシング８の上壁８０に設けた貫通孔８５内に組み付ける一方、図７に示すように、ドラム５１の支持軸５２の外回りには、該支持軸５２の角回転を検知する一対の検知器８４ａ・８４ｂを設けて、これら検知器８４ａ・８４ｂからの検出信号に基づいてモータ６の駆動を制御するようにしている。
【００２３】
具体的には、前記センサー６３のオン動作により、先ずモータ６を正転方向に駆動させ、ドラム５１の支持軸５２が所定角度回転して、引出し板１がケーシング８の外方に所定ストローク突出した時点で、一方の検知器８４ａからの出力信号により、モータ６を逆転方向に駆動し、引出し板１がドラム５１に所定ストローク巻き取られた時点で、他方の検知器８４ｂからの出力信号により、モータ６の駆動を停止させるようにしている。
【００２４】
一方、ガイド体７は、前記引出し板１と同様、薄肉で可撓性を備えた金属板から形成されたものであって、前記ケーシング８に固定する固定片７１と、該固定片７１の一端から屈曲して、ケーシング８における前記収容空間８３の開口の一側縁から前記回転軸４１に向かって斜めに延びるガイド片７２とを備え、該ガイド片７２を、前記凹部３２上に立設したパトローネ２のフィルム出入口２１内に挿入することで、前記引出し板１をフィルム出入口２１内に挿入する際に、該引出し板を前記ガイド片７２でガイドすると共に、前記引出し板１によるフィルム２０の引出し時には、該フィルム２０の先端を前記ガイド片７２でフィルム出入口２１にガイドするようにしている。
【００２５】
またガイド片の幅Ｌ１を、引出し板１における両テープ１２間の内法寸法Ｌ２よりも狭くして、ガイド片７２が引出し板１のテープ１２に接触しないようにしている。前記ケーシング８における前記収容空間８３の開口部位には、該開口に僅かに突出して、引出し板１のパトローネ２内への挿入時に、該引出し板１の先端を前記ガイド板７のガイド片７２と重合する方向に位置規制させる位置規制手段としての規制部８６を設けている。
【００２６】
また前記ケーシング８における前記収容空間８３の開口部位には、発光ダイオード８７ａとフォトダイオード８７ｂとから成るフィルム検出センサー８７を設けている。このフィルム検出センサー８７は、フィルム２０の一端側がパトローネ２のフィルム出入口２１から引き出されて前記収容空間８３内に収められる伴い、該フィルム２０で発光ダイオード８７ａとフォトダイオード８７ｂとの間が遮蔽された時に動作して、フィルム２０が収容空間８３内に引き出されたのを検知するようにしている。
【００２７】
尚、図中８９は、ケーシング８の上面に組付けた警告ランプであって、前記引出し板１によるフィルム２０の引出し操作が連続して３回行えなかった時に点灯するようにしている。次に以上の構成から成るフィルムの端末引出し装置により、パトローネ２内に巻き込まれたフィルム２０を引き出すには、先ず、図３に示すように、保持レバー８を上方に立てた上で、パトローネ２の一端部を前記支持部２の凹部３２内に嵌め込むと共に、ガイド板７のガイド片７２をパトローネ２のフィルム出入口２１内に挿入するのであって、パトローネ２の前記凹部３２内への嵌め込みにより、パトローネ２の軸端部が、凹部３２の内周壁面で受け止められると共に磁石３３に吸着するので、パトローネ２が支持部３に対して不用意に倒れるような虞はなく、安定良く立設するのである。
【００２８】
しかしてパトローネ２の前記凹部３２内への嵌め込みに伴い、リミットスイッチ３４がオン動作して、モータ６が駆動可能となる一方、スプール２２の下端部が回転軸４１の係合部４３と係合しない時には、前記回転軸４１がコイルスプリング４４に抗して下方に移動する。続いて前記保持レバー９を下方に揺動させると、図４に示すように、保持レバー９の遊端部がパトローネ２の上端部を保持すると共に、突片９１の貫通孔８５内への進入により、センサー６３が動作して、モータ６が駆動するのである。
【００２９】
そしてモータ６の駆動により、先ずモータ６の駆動軸６１が正転方向に回転するに伴い、ドラム５１が回転して、引出し板１が案内溝８１の案内でケーシング８の外方に突出する方向に往動すると同時に、回転軸４１が回転駆動して、前記係合部４３がスプール２２の軸端部と係合する位置に角回転した時点で、回転軸４１が前記コイルスプリング４４のばね力により上方に付勢して、係合部４３がスプール２２に自動的に係合するのであって、以降、回転軸４１の回転駆動によりスプール２２が巻き取り方向に回転する。
【００３０】
従って、パトローネ２の凹部３２内への嵌め込み時に、スプール２２の軸端部が回転軸４１の係合部４３と係合していなくとも、モータ６の駆動により直ちにスプール２２を前記係合部４３に係合させることが出来るのである。斯くして引出し板１の往動に伴い、その先端は、前記規制部８６により前記ガイド板７のガイド片７２と重合する方向に位置規制されながら該ガイド片７２に沿ってパトローネ２のフィルム出入口２１方向に進み、図１２に示すように、該ガイド片７２の案内で、該フィルム出入口２１からパトローネ２内に進入するのである。
【００３１】
尚、ガイド片７２の幅Ｌ１が、引出し板１における両テープ１２間の内法寸法Ｌ２よりも狭いことから、引出し板１がガイド片７２に沿って摺動する際、該ガイド片７２が引出し板１のテープ１２に接触することがなく、従って引出し板１のガイド片７２に対する摺動がスムーズに行えるし、また引出板１のフィルム出入口２１への挿入時の遮光漏れの発生も抑制されるのである。
【００３２】
そして図１３に示すように、引出し板１の先端がパトローネ２の内周面に沿って該パトローネ２内をほぼ１周すると共に、フィルム２０も前記スプール２２と共に巻き取り方向に回動して、引出し板１のパトローネ２内への挿入抵抗を減少させるのであって、しかも拡径方向に広がろうとするフィルム２０の弾性力により、該フィルム２０の巻き取り終端側の外側面が、引出し板１の前記テープ１２に弾性的に圧接するのである。
【００３３】
そして以上のごとく、引出し板１が所定ストローク往動して図１３に示すようにパトローネ内に所定長さ挿入された時点で、一方の検知器８４ａからの出力信号により、モータ６が逆転方向に駆動して、これに伴い、引出し板１がドラム５１に巻き取られるが、該引出し板１に貼り付けたテープ１２の表面の摩擦抵抗により、図１５に示すように、引出し板１のテープ１２に弾性的に接触しているフィルム２０も同時にフィルム出入口２１から前記収容空間８５内に引き出されて、フィルム検出センサー８７が動作した後、検知器８４ｂからの出力信号により、モータ６の駆動が停止するのである。
【００３４】
ところで、モータ６の逆転駆動により、フィルム２０の先端がフィルム出入口２１を通過しようとする際、図１４に示すように、該フィルム２０の先端が、パトローネ２内に突入している前記ガイド片７２によりフィルム出入口２１内にガイドされるので、該フィルム２０の先端が、パトローネ２内におけるフィルム出入口２１近傍で不用意に折れ曲がるようなことがなく、スムーズにフィルム出入口２１を通過して、収容空間８３内に引き出されるのである。
【００３５】
また引出し板１における幅方向両側部位にのみテープ１２を設けているので、フィルム出入口２１から引出した後、フィルム２０をテープ１２から簡単に離脱させることが出来るのである。尚、引出し板１によるフィルム２０の引出しが不成功の場合は、フィルム検出センサー８７が動作しないので、前記往復駆動部５が自動的に再駆動するのであって、該往復駆動部５の再駆動は２回繰り返され、それでもフィルム２０の引出しが不成功の場合には、警告ランプ８９が点灯して、フィルム２０の引出しが行えないことを作業者に表示するのである。
【００３６】
以上の実施形態では、引出し板１における一側面の幅方向両側部に摩擦係数の大きなテープ１２を貼りつけたが、これに限定されるものではなく、引出し板１における一側面の幅方向両側部に、例えばシリコーン樹脂、ポリ塩化ビニル樹脂、あるいはエポキシ樹脂を塗布することで、該引出し板１の一側面の幅方向両側部に摩擦手段を設けるようにしてもよい。
【００３７】
また以上の実施形態では、回転駆動部４及び往復駆動部５を一つのモータ６で駆動させるようにしたが、回転駆動部４及び往復駆動部５にそれぞれ独立したモータを設けてもよい。また以上の実施形態では、回転駆動部４及び往復駆動部５をモータ６で駆動させるようにしたが、これに限定されるものではなく、これら回転駆動部４及び往復駆動部５を手動により駆動させるようにしてもよい。
【００３８】
また以上の実施形態では、引出し板１の長さ方向一端部を、図１及び図２に示すように、略半円形に形成して、その先端部を僅かに反らせたが、図１７及び図１８に示すように形成してもよい。即ち図１７及び図１８に示す引出し板１は、その長さ方向一端を斜めにカットして、図１８に示すように、該長さ方向一端部を僅かに屈曲させているのであって、該屈曲は、引出し一端１の長さ方向一端部において、その幅方向一端側Ｐ１を他端側Ｐ２よりも大きく屈曲させて、幅方向一端側Ｐ１が図１８に示すように屈曲方向と反対方向に反らせるようにしている。
【００３９】
斯くして以上の引出し板１にあっては、該引出し板１の側面の幅方向両側部に沿って張り付ける一対のテープ１２ａ・１２ｂ中、前述した幅方向一端側Ｐ１のテープ１２ａを図１７に示すように、該引出し板１の長さ方向一端まで貼り付けても、該引出し板１の前記フィルム出入口２１への挿入時に抵抗とならないし、またフィルムＦの引出し時には、該引出し板１の長さ方向一端まで摩擦力を持たせることが可能となる。
【００４０】
【発明の効果】
請求項１記載の発明によれば、パトローネの支持部と、パトローネのスプールを巻き取り方向に回転させる回転軸を備えた回転駆動部と、フィルムとの重合面に摩擦手段を設けた引出し板と、この引出し板を往復動させてパトローネのフィルム出入口から該パトローネ内に挿入乃至退出させるための往復駆動部とを備え、往復駆動部を介して引出し板をパトローネのフィルム出入口から該パトローネ内に挿入すると共に、回転駆動部によりパトローネのスプールを巻き取り方向に回転させて、該引出し板をパトローネ内のフィルムに重合した後、往復駆動部によるパトローネからの引出し板の引き抜きにより、該引出し板を介してフィルムの一端側をパトローネのフィルム出入口から引き出すように成し、且つ前記支持部へのパトローネの支持に伴い前記パトローネのフィルム出入口内に挿入して、前記引出し板によるフィルムの引出し時に該フィルムのフィルム出入口からの引出しをガイドするためのガイド片を備えたガイド板をケーシングに固定するとともに、このガイド板のガイド片が引出し板における摩擦手段に接触しないように成し、また回転軸の先端部に、スプールに係合可能な係合手段を設けると共に、回転軸を支持部に対して進退方向に移動可能として、該回転軸を支持部に対して進出方向に弾性的に付勢させる一方、パトローネの端部を保持するための保持レバーを設けて、この保持レバーによりパトローネを保持した時点で回転駆動部及び往復駆動部を駆動可能にさせるようにしたことにより、引出し板を往復動させるだけの簡単な操作でフィルムの一端部を確実にパトローネから引き出すことが出来るのは勿論のこと、パトローネの前記支持部への支持と、保持レバーによるパトローネの保持に伴い、スプールの軸端部が回転軸の係合部に係合していなくとも、回転軸を回転させるだけで、直ちに係合部をスプールの軸端部に自動的に係合させることが出来、パトローネの支持部へのセットが簡単に行えるし、しかも引出し板の往復動時、引出し板の摩擦手段がガイド板のガイド片に接触することがなく、従って引出し板をスムーズに往復動させることが出来る。
【００４１】
また請求項２記載の発明によれば、請求項１記載の端末引出し装置において、支持部に、パトローネを吸着により保持するための磁石を設けたことにより、請求項１記載の発明の効果に加えて、パトローネの支持部への支持に際してパトローネが磁石に吸着されるので、パトローネが支持部に対して不用意に倒れるような虞がない。
【００４２】
また請求項３記載の発明によれば、請求項１又は２記載の端末引出し装置において、支持部に、パトローネの軸端部が嵌合可能な凹部を設けたことにより、請求項１または２記載の発明の効果に加えて、パトローネの支持部への支持に際して、パトローネの凹部内への嵌め込みにより、パトローネの軸端部を凹部の内周壁面で受け止めることができるので、パトローネを支持部に対して安定良く立設することが出来る。
【図面の簡単な説明】
【図１】 引出し板の正面図。
【図２】 引出し板の概略平面図。
【図３】 パトローネを取り外した状態の端末引出し装置の概略斜視図。
【図４】 パトローネをセットした状態の端末引出し装置の概略斜視図。
【図５】 端末引出し装置の概略平面図。
【図６】 端末引出し装置の一部を切り欠いて示す概略平面図。
【図７】 端末引出し装置の概略断面図。
【図８】 同、要部の拡大断面図。
【図９】 保持レバーの取付け部位を拡大して示す説明図。
【図１０】ガイド板の正面図。
【図１１】 パトローネを支持部にセットした状態を示す端末引出し装置の要部の概略説明図。
【図１２】 往復駆動部により引出し板をパトローネのフィルム出入口に挿入した状態を示す端末引出し装置の要部の概略説明図。
【図１３】 往復駆動部により引出し板をパトローネ内に挿入し終えた状態を示す端末引出し装置の要部の概略説明図。
【図１４】 引出し板によりフィルムの一端部をフィルム出入口まで移動させた状態を示す端末引出し装置の要部の概略説明図。
【図１５】 引出し板によりフィルムをフィルム出入口から引出した状態を示す端末引出し装置の要部の概略説明図。
【図１６】 ドラムの拡大断面図。
【図１７】 引出し板の別の実施形態を示す正面図。
【図１８】 引出し板の別の実施形態を示す概略平面図。
【符号の説明】
１   引出し板
１０ 摩擦手段
２   パトローネ
２０ フィルム
２１ フィルム出入口
２２ スプール
３   支持部
３２ 凹部
３３ 磁石
４   回転駆動部
５   往復駆動部
【図１】
0003718997.tif 000002
【図２】
0003718997.tif 000003
【図３】
0003718997.tif 000004
【図４】
0003718997.tif 000005
【図５】
0003718997.tif 000006
【図６】
0003718997.tif 000007
【図７】
0003718997.tif 000008
【図８】
0003718997.tif 000009
【図９】
0003718997.tif 000010
【図１０】
0003718997.tif 000011
【図１１】
0003718997.tif 000012
【図１２】
0003718997.tif 000013
【図１３】
0003718997.tif 000014
【図１４】
0003718997.tif 000015
【図１５】
0003718997.tif 000016
【図１６】
0003718997.tif 000017
【図１７】
0003718997.tif 000018
【図１８】
0003718997.tif 000019